(57)【特許請求の範囲】
【請求項１】
２心型の光ファイバコードの先端部に露出する一対の光ファイバ心線の先端部にそれぞれ取付けられた一対のフェルール部を、所定の並列姿勢で収容保持するハウジング本体部と、前記ハウジング本体部の基端側に連結されて前記光ファイバコードの被覆部端部を保持するコード受部とを備え、
前記ハウジング本体部が、前記コード受部との連結端側及び上方が開口する筺状体に形成され前記一対のフェルール部を所定の並列姿勢で収容可能なハウジング容体部と、このハウジング容体部の上方開口を閉塞するハウジング蓋部とを有し、前記ハウジング容体部又は前記ハウジング蓋部の前記コード受部との連結端側に形成された保持片が、前記コード受部から前記ハウジング本体部に導かれる一対の光ファイバ心線間の位置で、前記コード受部に形成された保持片挿通孔に挿通されることにより、前記ハウジング本体部と前記コード受部との結合状態が保持される光コネクタであって、
前記コード受部は、それぞれ前記光ファイバコードの被覆部端部を収容保持するコード保持凹部と、このコード保持凹部に収容保持された光ファイバコードの先端部より延出する前記一対の光ファイバ心線を外部に導出する心線導出路形成凹部とが互いに接合面側に形成されてなる一対のコード受部分割体の組合せにより形成されると共に、前記各コード受部分割体のうち前記心線導出路形成凹部に対応する部分に前記保持片を挿通可能な前記保持片挿通孔が形成され、
前記各コード受部分割体に形成された前記各心線導出路形成凹部に、前記コード保持凹部に収容保持された光ファイバコードの先端部より延出する前記一対の光ファイバ心線を、前記各保持片挿通孔に挿通されて前記各心線導出路形成凹部間の空間を通る前記保持片と干渉しない位置にガイドする一対のガイドピンが、対向する前記各心線導出路形成凹部の内周面に向けて突設された光コネクタ。
【請求項２】
請求項１記載の光コネクタであって、
前記各心線導出路形成凹部における一対のガイドピンは、前記各コード受部分割体の前後方向にずらすことによって前記各コード受部分割体の組合せ状態で互いに干渉しない位置に形成されると共に、前記各コード受部分割体の組合せ状態で対向する前記各心線導出路形成凹部の内周面に達する程度の高さ寸法に形成された光コネクタ。
【請求項３】
請求項１又は２記載の光コネクタであって、
前記一対のコード受部分割体として、同じ形状、大きさのものを用いた光コネクタ。
【請求項４】
請求項１〜請求項３記載のいずれかに記載の光コネクタであって、
前記各ガイドピンの先端部の外周縁部は面取りされた光コネクタ。
【発明の詳細な説明】
【０００１】
【発明の属する技術分野】
本発明は、光ファイバ同士の接続、あるいは光ファイバと光素子との接続に用いられる光コネクタに関するものである。
【０００２】
【従来の技術】
従来、２心型の光コネクタとして、図７〜図９に示すものがある。
【０００３】
この光コネクタ１００は、ハウジング本体部１０１とこのハウジング本体部１０１の後側に連結されるブーツ体１１０とを備える。
【０００４】
前記ハウジング本体部１０１は、後側及び上側が開口する筺状に形成されたハウジング容体部１０２とこのハウジング容体部１０２の上側開口を閉塞するように取付けられるハウジング蓋部１０３とから構成され、その内部に光ファイバ心線１３１の端部に装着されたフェルール部１２０を収容配置可能に形成される。また、ブーツ体１１０は、一対の光ファイバコード１３０を挿通保持した状態で、前記ハウジング本体部１０１の後部に連結される。
【０００５】
この光コネクタ１００の組立ては、次のようにして行われる。
【０００６】
まず、一対の光ファイバコード１３０を前記ブーツ体１１０に挿通させてその前方へ引出し、各光ファイバコード１３０の被覆部を剥離してその先端部に光ファイバ心線１３１を露出させ、この露出させた各光ファイバ心線１３１の先端部をフェルール部１２０に挿通固定する。次に、各フェルール部１２０をハウジング容体部１０２内に並列状態で配設した後、ブーツ体１１０をハウジング容体部１０２の後側開口内に配設する。この状態で、ハウジング容体部１０２の上側開口を閉塞するようにハウジング蓋部１０３を取付ける。この際、ハウジング蓋部１０３の後端部より下方に向けて垂設された保持片１０４が、ブーツ体１１０の前端部に形成された孔部１１１に挿通され、これによりブーツ体１１０がハウジング本体部１０１に対して固定保持されるようになる。
【０００７】
【発明が解決しようとする課題】
ところで、上述のような光コネクタ１００において、一対の光ファイバ心線の周囲に被覆部を形成した２心型の光ファイバコードを用いる場合、光ファイバコードをブーツ体１１０に挿通させた状態で、当該ブーツ体１１０をハウジング容体部１０２の後側開口内に取付けると、その光ファイバコードの先端側に露出させた一対の光ファイバ心線は、ブーツ体１１０の幅方向中央寄りに向けて付勢される。このため、ハウジング容体部１０２の上部開口を閉塞するようにハウジング蓋部１０３を取付ける際に、保持片１０４の先端部が各光ファイバ心線に強い力で押し当てられて、各光ファイバ心線が損傷する恐れがある。
【０００８】
そこで、この発明の課題は、組立時において、光ファイバ心線の損傷を防止することができる光コネクタを提供することにある。
【０００９】
【課題を解決するための手段】
上記課題を解決すべく、請求項１記載の光コネクタは、２心型の光ファイバコードの先端部に露出する一対の光ファイバ心線の先端部にそれぞれ取付けられた一対のフェルール部を、所定の並列姿勢で収容保持するハウジング本体部と、前記ハウジング本体部の基端側に連結されて前記光ファイバコードの被覆部端部を保持するコード受部とを備え、前記ハウジング本体部が、前記コード受部との連結端側及び上方が開口する筺状体に形成され前記一対のフェルール部を所定の並列姿勢で収容可能なハウジング容体部と、このハウジング容体部の上方開口を閉塞するハウジング蓋部とを有し、前記ハウジング容体部又は前記ハウジング蓋部の前記コード受部との連結端側に形成された保持片が、前記コード受部から前記ハウジング本体部に導かれる一対の光ファイバ心線間の位置で、前記コード受部に形成された保持片挿通孔に挿通されることにより、前記ハウジング本体部と前記コード受部との結合状態が保持される光コネクタであって、前記コード受部は、それぞれ前記光ファイバコードの被覆部端部を収容保持するコード保持凹部と、このコード保持凹部に収容保持された光ファイバコードの先端部より延出する前記一対の光ファイバ心線を外部に導出する心線導出路形成凹部とが互いに接合面側に形成されてなる一対のコード受部分割体の組合せにより形成されると共に、前記各コード受部分割体のうち前記心線導出路形成凹部に対応する部分に前記保持片を挿通可能な前記保持片挿通孔が形成され、前記各コード受部分割体に形成された前記各心線導出路形成凹部に、前記コード保持凹部に収容保持された光ファイバコードの先端部より延出する前記一対の光ファイバ心線を、前記各保持片挿通孔に挿通されて前記各心線導出路形成凹部間の空間を通る前記保持片と干渉しない位置にガイドする一対のガイドピンが、対向する前記各心線導出路形成凹部の内周面に向けて突設されたものである。
【００１０】
なお、請求項２記載のように、前記各心線導出路形成凹部における一対のガイドピンは、前記各コード受部分割体の前後方向にずらすことによって前記各コード受部分割体の組合せ状態で互いに干渉しない位置に形成されると共に、前記各コード受部分割体の組合せ状態で対向する前記各心線導出路形成凹部の内周面に達する程度の高さ寸法に形成されているとよりよい。
【００１１】
また、請求項３記載のように、前記一対のコード受部分割体として、同じ形状、大きさのものを用いるとよい。
【００１２】
さらに、請求項４記載のように、前記各ガイドピンの先端部の外周縁部が面取りされていてもよい。
【００１３】
【発明の実施の形態】
以下、この発明の実施の形態に係る光コネクタについて説明する。
【００１４】
この光コネクタ１０は、図１〜図５に示すように、光ファイバコード１の端部に取付けられる光コネクタ１０であって、ハウジング本体部１１とコード受部３０とが連結されてなる。
【００１５】
ここで、光ファイバコード１としては、一対の光ファイバ心線２の周囲に被覆部３を形成した２心型のものが想定され、予めその端部の被覆部３が所定長に亘って剥離されて前記所定長の一対の光ファイバ心線２が露出している。また、その被覆部３の端部に、筒状部４ａの一端に外方へ張出し状の鍔状部４ｂを形成したコード抜止具４がカシメ等の手法で取付けられており、後に詳述するようにそのコード抜止具４を利用してコード受部３０において光ファイバコード１の抜止め保持が図られるようになる（図２及び図３参照）。さらに、各光ファイバ心線２の端部にはそれぞれフェルール部５が装着されている。各フェルール部５は、略筒状のフェルール本体部６の長手方向略中央部に鍔状部７が形成されると共に、そのフェルール本体部６であって前記鍔状部７の後側にコイルバネ８が巻装された構成とされ、そのフェルール本体部６内に光ファイバ心線２が挿入固定される（図２〜図５参照）。
【００１６】
上記ハウジング本体部１１は、図１，図４及び図５に示すように、ハウジング容体部１２とハウジング蓋部２０との組合せにより構成される。
【００１７】
前記ハウジング容体部１２は、後方（コード受部３０との連結端側）及び上方が開口する略筺状体に形成され、前記一対のフェルール部５を所定の並列姿勢で収容可能に形成される。
【００１８】
具体的には、ハウジング容体部１２の内部に、各フェルール部５の後端部を収容可能な一対の収容凹部１３が形成されると共に、ハウジング容体部１２の前壁部１４の前面側に、フェルール本体部６の前端部を挿入可能な一対の接続筒部１８が突出形成される。また、この接続筒部１８を覆うように保護カバー部１８ａが形成される。そして、ハウジング容体部１２の内部から各フェルール本体部６の前端部を各接続筒部１８内に挿入するようにして、各フェルール部５の後端部を収容凹部１３内に押込むと、各フェルール部５が所定の並列姿勢で収容配置される。この際、フェルール本体部６の後端部に巻装されたコイルバネ８が鍔状部７と各収容凹部１３の後側段部間に圧縮状態で介装され、これにより各フェルール部５がハウジング容体部１２に対して前方へ付勢された状態となっている。本光コネクタ１０を、図示省略の相手側のコネクタに接続すると、前記各接続筒部１８が相手側のコネクタの案内孔内に挿入ガイドされて、その内部で当該相手側のコネクタにおける光ファイバの接続端面や光素子の受光面若しくは発光面に対向配置され、それらとの間で光学的な結合がなされるように構成される。
【００１９】
また、ハウジング容体部１２の両側壁部１５の内面側には、その上端面からハウジング蓋部２０の肉厚の分だけ下方に凹む段差部１５ａがそれぞれ形成されると共に、ハウジング容体部１２内の底面部１７の上面であって前記一対の収容凹部１３間の若干後側の位置から上方に向けて柱状部１７ａが立設される。そして、ハウジング蓋部２０をハウジング容体部１２の上方開口に取付けた際、当該ハウジング蓋部２０の両側部下面が上記各段差部１５ａに当接すると共に、ハウジング蓋部２０の略中央部下面が柱状部１７ａの上端面に当接することによって、ハウジング蓋部２０の下方への落込みや撓み変形が防止されるように構成される。
【００２０】
また、ハウジング容体部１２の両側壁部１５の内面側の前後方向中間部に、その上下方向に沿ってガイド溝部１５ｂが形成され、各ガイド溝部１５ｂにそれぞれハウジング蓋部２０に形成されたガイド板部２１（後述する）が挿通ガイド可能に形成される。
【００２１】
また、ハウジング蓋部２０は、ハウジング容体部１２の上方開口に対応する板形状に形成されており、前記ハウジング容体部１２内に収容配置された各フェルール部５をその内部に押え込み保持した状態で、当該ハウジング容体部１２の上方開口を閉塞可能に形成される。
【００２２】
ハウジング蓋部２０の下面の両側部に、下方に向けて上記ガイド溝部１５ｂに挿通可能な一対のガイド板部２１が垂設されており、ハウジング蓋部２０をハウジング容体部１２の上方開口に取付ける際、各ガイド板部２１が各ガイド溝部１５ｂに挿通ガイドされることにより、ハウジング蓋部２０が、ハウジング容体部１２の上方開口を閉塞可能な姿勢で真下に向けて押下げられるようになっている。なお、ハウジング蓋部２０は、例えば、このガイド板部２１の端部に図示省略の係合突部を形成しておいて、その係合凸部をハウジング容体部１２側に係合させることにより、ハウジング容体部１２に対して取付保持される。
【００２３】
また、ハウジング蓋部２０の下面の後端部に、板状の保持片２２が垂設される。保持片２２は、ハウジング蓋部２０がハウジング容体部１２の上方開口に取付けられた状態で、ハウジング容体部１２の底面部１７の上面に達する程度の長さ寸法を有しており、コード受部３０の前端部がハウジング容体部１２の後側開口内に収容配置された状態で、コード受部３０の両コード受部分割体３１Ａ，３１Ｂに形成された保持片挿通孔３１Ａｈ，３１Ｂｈ（後述する）内に挿通可能に形成されている。また、保持片２２は、ハウジング蓋部２０の幅方向略中央部の位置に垂設されており、前記コード受部３０からハウジング本体部１１内に導かれる光ファイバ心線２の間を通るように構成される。
【００２４】
なお、本実施の形態では、保持片２２を、その先端側に向うに従って徐々に薄肉となる板状に仕上げることにより、当該保持片２２を保持片挿通孔３１Ａｈ，３１Ｂｈ内に容易に挿通可能なようにしている。
【００２５】
コード受部３０は、図１〜図６に示すように、全体的形状として長方形の一長辺側に台形の底辺を連結したような平面視形状を有する扁平筺形状を有しており、その扁平方向（前記フェルール部５の並列方向でもある）に沿って上下に２分割された、一対のコード受部分割体３１Ａ，３１Ｂの組合せにより形成される。各コード受部分割体３１Ａ，３１Ｂは、それらのうちの一方を上下反転させると同じ形状・大きさとなるもので、それらの接合面側の後部に、コード保持凹部３２Ａ，３２Ｂが形成されると共に、その前部に心線導出路形成凹部３３Ａ，３３Ｂが形成される。
【００２６】
各コード保持凹部３２Ａ，３２Ｂは、それらの間に光ファイバコード１の被覆部３部分を収容可能な略半円筒周面形状のコード挿通部３２Ａｆ，３２Ｂｆと、このコード挿通部３２Ａｆ，３２Ｂｆの前端部に形成され、コード抜止具４の鍔状部４ｂを嵌め込み可能な溝条部３２Ａａ，３２Ｂａとを備える。
【００２７】
そして、鍔状部４ｂを溝条部３２Ａａ，３２Ｂａに嵌め込むようにして、各コード保持凹部３２Ａ，３２Ｂ間に光ファイバコード１の被覆部３の端部を挿通配置して、各コード受部分割体３１Ａ，３１Ｂを組合わせることにより、光ファイバコード１がコード受部３０に抜止め保持される構成となる。
【００２８】
心線導出路形成凹部３３Ａ，３３Ｂは、前記コード挿通部３２Ａｆ，３２Ｂｆの前方に連続して延びる溝形状に形成される。心線導出路形成凹部３３Ａ，３３Ｂは、コード受部３０の幅方向に扁平な半楕円の断面形状を有し、その溝幅は前方に向けてコード受部３０の幅方向に徐々に拡開するように形成されている。そして、一対のコード受部分割体３１Ａ，３１Ｂが組合わされた状態において、前記コード保持凹部３２Ａ，３２Ｂに収容保持された光ファイバコード１の端部に露出する一対の光ファイバ心線２が、心線導出路形成凹部３３Ａ，３３Ｂ間の空間を通ってその幅方向に略Ｙ字状に拡がりながら、コード受部３０の前方に導出可能に形成されている。
【００２９】
また、各コード受部分割体３１Ａ，３１Ｂの前端部外表面は、その後側の部分よりも若干内側に凹む形状に形成され、上記ハウジング容体部１２の後端部内に収容可能に形成される。また、各コード受部分割体３１Ａ，３１Ｂの前端部（心線導出路形成凹部３３Ａ，３３Ｂに対応する部分）の幅方向中央部には、上記保持片２２を挿通可能な保持片挿通孔３１Ａｈ，３１Ｂｈが形成される。そして、両コード受部分割体３１Ａ，３１Ｂを組合わせてから、コード受部３０の前端部をハウジング容体部１２の後側開口内に収容した状態で、ハウジング容体部１２の上方開口にハウジング蓋部２０を取付けると、保持片２２が上側のコード受部分割体３１Ｂの保持片挿通孔３１Ｂｈ内に挿通された後、心線導出路形成凹部３３Ａ，３３Ｂ間に形成される空間の幅方向中央部を通って、下側のコード受部分割体３１Ａの保持片挿通孔３１Ａｈ内に挿通され、これによりハウジング本体部１１とコード受部３０との連結状態が保持されるように構成される。
【００３０】
また、各心線導出路形成凹部３３Ａ，３３Ｂには、互いに対向する心線導出路形成凹部３３Ａ，３３Ｂの内周面に向けて一対のガイドピン３４Ａ，３４Ｂが突設される。各心線導出路形成凹部３３Ａ，３３Ｂにおける一対のガイドピン３４Ａ，３４Ｂは、保持片挿通孔３１Ａｈ，３１Ｂｈの両側部よりの位置に突設され、それぞれ前記光ファイバコード１の先端部より延出する一対の光ファイバ心線２を、保持片挿通孔３１Ａｈ，３１Ｂｈの両側方へ振分けるようにガイドして、当該保持片挿通孔３１Ａｈ，３１Ｂｈに挿通される保持片２２と干渉しない位置にガイドする機能を有する（図６（ａ）の一点鎖線参照）。
【００３１】
また、各心線導出路形成凹部３３Ａ，３３Ｂにおける一対のガイドピン３４Ａ，３４Ｂは、コード受部３０の軸方向に沿って保持片挿通孔３１Ａｈ，３１Ｂｈの前後方向にずらした位置に突設され、両コード受部分割体３１Ａ，３１Ｂを組合わせた際に、コード受部分割体３１Ａ側の一対のガイドピン３４Ａとコード受部分割体３１Ｂ側の一対のガイドピン３４Ｂとが、相互に干渉しないようになっている。そして、かかる構成を採用した上で、各ガイドピン３４Ａ，３４Ｂを、互いに対向する導出路形成凹部３３Ａ，３３Ｂの内周面に達する程度の高さ寸法に仕上げることにより、一対のガイドピン３４Ａ又は一対のガイドピン３４Ｂのいずれによってもより確実に各光ファイバ心線２をガイドできるようにしている。
【００３２】
なお、上記各ガイドピン３４Ａ，３４Ｂは、略円柱状に形成されると共に、その先端部の円周状外周縁部を面取り加工した形状とされ、両コード受部分割体３１Ａ，３１Ｂを組合わせる際に、ガイドピン３４Ａ，３４Ｂの先端部が光ファイバ心線２に当接するようなことがあっても、当該光ファイバ心線２は面取りされたガイドピン３４Ａ，３４Ｂの先端部の円周状外周縁部に摺接して、円滑にその外側方へ逃げるようになっている。
【００３３】
また、各コード受部分割体３１Ａ，３１Ｂの後端部の一側部に係合孔３５Ａｈ，３５Ｂｈを有する係合片３５Ａ，３５Ｂが形成されると共に、コード受部分割体３１Ａ，３１Ｂの後端部の他側部に前記係合片３５Ａ，３５Ｂの係合孔３５Ａｈ，３５Ｂｈに係合可能な係合凸部３６Ａ，３６Ｂが形成される。そして、各コード受部分割体３１Ａ，３１Ｂを互いに向い合わせて組合わせる際には、一方側のコード受部分割体３１Ａの係合片３５Ａが他方側のコード受部分割体３１Ｂの係合凸部３６Ｂに係合すると共に、他方側のコード受部分割体３１Ｂの係合片３５Ｂが他方側のコード受部分割体３１Ａの係合凸部３６Ａに係合して、両コード受部分割体３１Ａ，３１Ｂの組合せ形態が保持されるようになる。
【００３４】
さらに、各コード受部分割体３１Ａ，３１Ｂの接合面の外周部４方に、２つの位置決凸部３８Ａ，３８Ｂ及び２つの位置決凹部３９Ａ，３９Ｂがそれぞれ形成される。このうち位置決凸部３８Ａ，３８Ｂは、コード受部分割体３１Ａ，３１Ｂの一側部（図６（ａ）の右側部）の後方位置及び他側部（図６（ｂ）の左側部）の前方位置にそれぞれ形成され、位置決凹部３９Ａ，３９Ｂは、コード受部分割体３１Ａ，３１Ｂの一側部の前方位置及び他側部の後方位置にそれぞれ形成される。そして、各コード受部分割体３１Ａ，３１Ｂを互いに向い合わせて組合せた際に、それぞれのコード受部分割体３１Ａ，３１Ｂの位置決凸部３８Ａ，３８Ｂが、それぞれ反対側のコード受部分割体３１Ａ，３１Ｂの位置決凹部３９Ａ，３９Ｂに嵌め込まれて、コード受部分割体３１Ａ，３１Ｂ同士の相対的な位置決めが図られるようになっている。
【００３５】
以上のように構成された光コネクタ１０は、次のようにして組立てられる。
【００３６】
まず、図２に示すように、光ファイバコード１の端部の被覆部３を剥離して所定長に亘って一対の光ファイバ心線２を露出させ、その被覆部３の端部にコード抜止具４を取付けると共に、各光ファイバ心線２の端部にフェルール部５を装着したものを準備しておく。そして、一方側のコード受部分割体３１Ａ上に、前記コード抜止具４の鍔状部４ｂをコード保持凹部３２Ａの溝条部３２Ａａに嵌め込むようにして、当該光ファイバコード１の被覆部３の端部をコード保持凹部３２Ａにセットする。この際、光ファイバコード１の端部に延出する一対の光ファイバ心線２を、コード受部分割体３１Ａに形成された一対のガイドピン３４Ａに外側方より係合させるようにガイドさせて、各一対の光ファイバ心線２を両側方へ振分けるようにＹ字状に分岐させた状態にガイドする。この状態で、一対のコード受部分割体３１Ａ，３１Ｂを組合わせると、光ファイバコード１の被覆部３の端部がコード保持凹部３２Ａ，３２Ｂに収容保持されると共に、その光ファイバコード１の端部に露出する一対の光ファイバ心線２が各保持片挿通孔３１Ａｈ，３１Ｂｈ間を避けつつコード受部３０の前方へ導き出される。こうして、コード受部分割体３１Ａ，３１Ｂ間に光ファイバコード１の被覆部３の端部が収容保持された状態で、係合凸部３６Ａ，３６Ｂが係合片３５Ａ，３５Ｂに係合されて、コード受部分割体３１Ａ，３１Ｂが互いに連結される。
【００３７】
次に、図４に示すように、各フェルール部５の先端部をハウジング容体部１２の内部から各接続筒部１８内に挿入するようにして、各フェルール部５の後端部を収容凹部１３内に押込むと、各フェルール部５が所定の並列姿勢でハウジング容体部１２に収容配置される。そして、コード受部３０の前端部をハウジング容体部１２の後側開口内に配設した後、ハウジング容体部１２の上方開口を閉塞するようにハウジング蓋部２０を取付けると、各フェルール部５が並列状態でハウジング本体部１１内に収容保持されると共に、その保持片２２が保持片挿通孔３１Ｂｈから、心線導出路形成凹部３３Ａ，３３Ｂ間で形成される空間において光ファイバ心線２間を通って保持片挿通孔３１Ａｈに挿通されてハウジング本体部１１とコード受部３０とが連結状態で保持される。
【００３８】
以上のように構成された光コネクタ１０によると、各心線導出路形成凹部３３Ａ，３３Ｂに、互いに対向する心線導出路形成凹部３３Ａ，３３Ｂに向けて突設されて光ファイバコード１の先端部より延出する一対の光ファイバ心線２を保持片２２と干渉しない位置にガイドする一対のガイドピン３４Ａ，３４Ｂが形成されているため、組立の際に、保持片２２を光ファイバ心線２を強く押付けるようなことがなくなり、従って、保持片２２の押込みによる光ファイバ心線２の損傷を防止することができる。
【００３９】
しかも、各ガイドピン３４Ａ，３４Ｂの先端部の円周状外周縁部を面取りしているため、組立の際に、ガイドピン３４Ａ，３４Ｂの先端部が光ファイバ心線２に仮に接触しても、光ファイバ心線２は円滑にその側方へ逃げるように容易に移動し、光ファイバ心線２の損傷をより確実に防止することができる。
【００４０】
特に、各心線導出路形成凹部３３Ａ，３３Ｂにおける一対のガイドピン３４Ａ，３４Ｂは、コード受部３０の前後方向にずらすことによって互いに対向する各心線導出路形成凹部３３Ａ，３３Ｂにおける一対のガイドピン３４Ａ，３４Ｂと干渉しない位置に形成されているため、各係合片３５Ａ，３５Ｂ及び係合凸部３６Ａ，３６Ｂを形成した位置や、位置決凸部３８Ａ，３８Ｂ及び位置決凹部３９Ａ，３９Ｂを形成した位置を上述のように工夫したことと相俟って、コード受部分割体３１Ａ，３１Ｂを同じ形状・大きさに形成することができる。これにより、両コード受部分割体３１Ａ，３１Ｂを同じ成形型により成形することができ、その製造コストを減少させることができる。
【００４１】
また、このようにガイドピン３４Ａ，３４Ｂは、コード受部３０の前後方向にずらした位置に形成されているため、その突出寸法を対向する相手側の心線導出路形成凹部３３Ａ，３３Ｂの内周面に達する程度の充分な大きさにして、より確実に各光ファイバ心線２をガイドすることができる。
【００４２】
なお、本実施の形態では、ハウジング蓋部２０側に保持片２２を形成しているが、保持片２２はハウジング容体部１２側に形成されていてもよい。
【００４３】
【発明の効果】
以上のように、この発明の請求項１記載の光コネクタによると、コード受部は、それぞれ光ファイバコードの被覆部端部を保持するコード保持凹部と、このコード保持凹部に収容保持された光ファイバコードの先端部より延出する一対の光ファイバ心線を外部に導出する心線導出路形成凹部とが互いの接合面側に形成されてなる一対のコード受部分割体の組合せにより形成されると共に、各コード受部分割体のうち心線導出路形成凹部に対応する部分に前記保持片を挿通可能な保持片挿通孔が形成され、各心線導出路形成凹部に、前記コード保持凹部に収容保持された光ファイバコードの先端部より延出する前記一対の光ファイバ心線を、前記各保持片挿通孔に挿通されて前記各心線導出路形成凹部間の空間を通る前記保持片と干渉しない位置にガイドする一対のガイドピンが、対向する前記各心線導出路形成凹部の内周面に向けて突設されているため、保持片が光ファイバ心線を強く押付けるようなことがなくなり、従って光ファイバ心線の損傷を防止することができる。
【００４４】
また、請求項２記載のように、各心線導出路形成凹部における一対のガイドピンは、各コード受部分割体の前後方向にずらすことによって各コード受部分割体の組合せ状態で互いに干渉しない位置に形成されると共に、各コード受部分割体の組合せ状態で対向する前記各心線導出路形成凹部の内周面に達する程度の高さ寸法に形成されていると、より確実に光ファイバコードをガイド可能としつつ、各コード受部分割体を同形状，同じ大きさに形成することができる。
【００４５】
また、請求項３記載のように、前記一対のコード受部分割体として、同じ大きさ、形状のものを用いると、各コード受部分割体を同じ成形型で容易に成形することができる。
【００４６】
さらに、請求項４記載のように、前記各ガイドピンの先端部の外周縁部を面取りしておくと、ガイドピンの先端部が光ファイバ心線に当接しても、光ファイバ心線は円滑にその側方へ逃げるように移動するので、光ファイバ心線の損傷をより確実に防止することができる。
【図面の簡単な説明】
【図１】この発明の実施の形態に係る光コネクタを示す斜視図である。
【図２】同上の光コネクタの一組立工程を示す斜視図である。
【図３】同上の光コネクタの他の組立工程を示す斜視図である。
【図４】同上の光コネクタのさらに他の組立工程を示す斜視図である。
【図５】同上の光コネクタのさらに他の組立工程を示す斜視図である。
【図６】図６（ａ）はコード受部分割体の平面図であり、図６（ｂ）はコード受部分割体の正面図である。
【図７】従来の光コネクタを示す斜視図である。
【図８】従来の光コネクタの一組立工程を示す斜視図である。
【図９】従来の光コネクタの他の組立工程を示す斜視図である。
【符号の説明】
１  光ファイバコード
２  光ファイバ心線
３  被覆部
５  フェルール部
１０  光コネクタ
１１  ハウジング本体部
１２  ハウジング容体部
２０  ハウジング蓋部
２２  保持片
３０  コード受部
３１Ａ，３１Ｂ  コード受部分割体
３１Ａｈ，３１Ｂｈ  保持片挿通孔
３２Ａ，３２Ｂ  コード保持凹部
３３Ａ，３３Ｂ  心線導出路形成凹部
３４Ａ，３４Ｂ  ガイドピン
【図１】
0003723066.tif 000002
【図２】
0003723066.tif 000003
【図３】
0003723066.tif 000004
【図４】
0003723066.tif 000005
【図５】
0003723066.tif 000006
【図６】
0003723066.tif 000007
【図７】
0003723066.tif 000008
【図８】
0003723066.tif 000009
【図９】
0003723066.tif 000010